(57)【特許請求の範囲】
【請求項１】
結束部材によって互いに結束される複数の電気ケーブル間または電気ケーブルと該電気ケーブルを固定する対象物との間に介装され、前記電気ケーブルを互いに離間した状態または前記対象物から離間した状態に保つ電気ケーブル用スペーサであって、
弾性を有するとともに直方体形状を呈し、
対向する一対の第１面に開口するように互いに平行に形成された、前記結束部材を挿通するための２本の第１通し孔と、
２本の前記第１通し孔の間を通って前記第１面と異なる対向する一対の第２面に開口するように形成された、前記結束部材を挿通するための１本の第２通し孔とを有し、
前記第１通し孔は、短冊状の断面形状を有し、長辺同士を対向させるとともに長辺を前記第１面および前記第２面と異なる対向する一対の第３面に対向させるように形成され、
前記第２通し孔は、短冊状の断面形状を有し、長辺を前記第３面に対向させるように形成されたことを特徴とする電気ケーブル用スペーサ。
【発明の詳細な説明】
【技術分野】
【０００１】
本発明は、電車の車両間を電気接続する渡り線に使用されるキャブタイヤケーブルや、ケーブルテレビの信号伝送線に使用される同軸ケーブルなどといった電気ケーブルを、電気ケーブル同士で結束または対象物に対して固定する際に使用する電気ケーブル用スペーサに関する。
【背景技術】
【０００２】
従来、この種の電気ケーブルの複数を平行かつ互いに離間した状態で結束する際には、車両間の渡り線を例にとれば、特許文献１の図１および図２に示すような手法が採られていた。すなわち、隣接する電気ケーブル同士を所定間隔に保持した状態で長期間にわたって緩みを生じないようにするために、長尺な結束ロープを用いて例えばメガネ縛りと称される特殊な結束方法で強固に結束していた。結束ロープには、耐久性や耐候性、耐摩耗性が優れ、かつ軽量で柔軟性があることが要求されるため、例えばクレモナロープなどの合成繊維ロープが使用される。
【０００３】
ところが、このような結束方法は、一本の結束ロープを各ケーブル間に何回も引き回しながら結束しなければないないため、作業性が悪く、時間がかかることからコスト高になる。また、特殊な結束方法を用いるため、熟練作業者と経験の浅い作業者とで品質にばらつきが生じ、品質が悪いと結束ロープに緩みが生じてしまい、短期間で補修が必要になる。そこで、本出願人は、板状の複数枚のスペーサゴムを電気ケーブルの離間する方向に重合させた状態で平行配置された電気ケーブル間に介在させて間隔保持部材とし、間隔保持部材を介して結束部材で電気ケーブルを結束するようにした電気ケーブルの平行結束構造を提案している（特許文献１参照）。この結束構造では、各スペーサゴムに２本の通し孔を設け、両通し孔に結束部材を挿通させて緊結することで、スペーサゴムの連結と電気ケーブルの結束とを行っている。
【先行技術文献】
【特許文献】
【０００４】
【特許文献１】実用新案登録第２５７７１２２号公報
【発明の概要】
【発明が解決しようとする課題】
【０００５】
しかしながら、電気ケーブルは必ずしも平行に配置されているとは限らず、離間した位置を通りつつも交差するように（すなわち平行以外の方向に延在して）配置されている場合もある。このように電気ケーブルが交差状に配置されている場合には、特許文献１記載のスペーサゴムでは、電気ケーブルを結束することはできない。そのため、このような場所には、依然として結束ロープを用いて特殊な結束方法で電気ケーブルを結束することが行われている。
【０００６】
本発明は、このような背景に鑑み、平行に配置された電気ケーブルだけでなく、交差状に配置され電気ケーブルをも互いに離間した状態で結束することができる電気ケーブル用スペーサを提供することを課題とする。
【課題を解決するための手段】
【０００７】
このような課題を解決するために、本発明は、結束部材（２０）によって互いに結束される複数の電気ケーブル（１）間または電気ケーブル（１）と該電気ケーブルを固定する対象物（３）との間に介装され、前記電気ケーブルを互いに離間した状態または前記対象物から離間した状態に保つ電気ケーブル用スペーサ（１０）であって、弾性を有するとともに直方体形状を呈し、対向する一対の第１面（１１）に開口するように形成され、平行に延在する２本の第１通し孔（１４）と、前記第１面と異なる対向する一対の第２面（１２）に開口するように形成され、前記２本の第１通し孔の間を通る１本の第２通し孔（１５）とを有する構成とする。
【０００８】
この構成によれば、２本の第１通し孔に結束部材を挿通して緊結することで、平行な２本の電気ケーブルを互いに離間した状態で結束し、あるいは１本の電気ケーブルをこれと平行に延在する対象物に離間した状態で固定することができる。そのうえ、第１通し孔と第２通し孔との一方に挿通して緊結した結束部材により、第１方向に延在する電気ケーブルを保持するとともに、第１通し孔と第２通し孔との他方に挿通して緊結した結束部材により、第１方向と異なる第２方向に延在する電気ケーブルまたは対象物を保持することで、交差状に配置された電気ケーブル同士または電気ケーブルと対象物とを互いに離間した状態で結束することもできる。
【０００９】
また、上記の発明において、前記第１通し孔は、短冊状の断面形状を有し、長辺同士を対向させるとともに長辺を前記第１面および前記第２面と異なる対向する一対の第３面（１３）に対向させるように形成され、前記第２通し孔は、短冊状の断面形状を有し、長辺を前記第３面に対向させるように形成された構成とすることができる。
【００１０】
この構成によれば、電気ケーブルを傷付けにくい帯状の結束部材を用いて、平行な２本の電気ケーブルや交差する２本の電気ケーブルを結束できる。具体的には、平行な２本の電気ケーブルを結束する場合には、両電気ケーブルを第１面または第３面に保持するように結束し、交差する２本の電気ケーブルを結束する場合には、交差する一方の電気ケーブルを第３面の一方または第１面に保持し、交差する他方のケーブルを第３面の他方に保持するようにして、両電気ケーブルを結束できる。
【発明の効果】
【００１１】
このように本発明によれば、平行に配置された電気ケーブルだけでなく、交差状に配置され電気ケーブルをも互いに離間した状態で結束することができる電気ケーブル用スペーサを提供することができる。
【図面の簡単な説明】
【００１２】
【図１】実施形態に係るスペーサの斜視図
【図２】図１に示すスペーサの（Ａ）平面図、（Ｂ）正面図、（Ｃ）右側面図
【図３】図２中のIII−III断面図
【図４】電気ケーブルの一結束構造を示す斜視図
【図５】電気ケーブルの一結束構造を示す斜視図
【図６】電気ケーブルの一結束構造を示す斜視図
【図７】電気ケーブルの一結束構造を示す（Ａ）平面図、（Ｂ）正面図
【図８】電気ケーブルの一結束構造を示す（Ａ）平面図、（Ｂ）正面図
【図９】電気ケーブルの一結束構造を示す（Ａ）平面図、（Ｂ）正面図
【図１０】電気ケーブルの一結束構造を示す（Ａ）平面図、（Ｂ）正面図
【図１１】電気ケーブルの一結束構造を示す（Ａ）平面図、（Ｂ）正面図
【図１２】電気ケーブルの一結束構造を示す平面図
【図１３】電気ケーブルの一結束構造を示す平面図
【図１４】電気ケーブルの一結束構造を示す（Ａ）平面図、（Ｂ）正面図、（Ｃ）右側面図
【発明を実施するための形態】
【００１３】
以下、図面を参照して、本発明に係る実施形態について詳細に説明する。図１〜図３は、本発明に係るスペーサ１０を示している。なお、図２では、後述する第１、第２通し孔１４、１５の外観に現れない輪郭線を破線で示している。スペーサ１０は、複数の電気ケーブル１（例えば図４の１ａ、１ｂ）間または電気ケーブル１とこれを結束する対象物３（図１４）との間に介装されて電気ケーブル１を他の電気ケーブル１や対象物３から離間した状態に保つために使用されるものである。結束する電気ケーブル１には、例えば、電車の渡り線や、走行用モータの動力ケーブル、電車に限られないラックやブラケットなどのケーブル支持部材（対象物３）に固定される電気ケーブル１、通信ケーブルなどが挙げられ、これらに限定されるものではない。
【００１４】
図１〜図３に示すように、スペーサ１０は、直方体を呈しており、それぞれ対向する一対の第１面１１、１１、第２面１２、１２および第３面１３、１３の合計６面を有している。第１面１１、第２面１２および第３面１３は、相互に９０度異なっている。本実施形態では、第２面１２は正方形であり、第１面１１および第３面１３は、第２面１２との稜線をなす辺が長い同一寸法の長方形である。なお、スペーサ１０の背面図は正面図と、左側面図は右側面図と、底面図は平面図とそれぞれ同一にあらわれる。
【００１５】
スペーサ１０は、弾性を有しており、外力を受けて弾性変形することで電気ケーブル１を損傷から保護する。スペーサ１０は、耐熱性や耐候性、耐摩耗性が優れ、かつ圧縮永久歪みが小さいことが要求されるため、例えばエチレンプロピレンゴム（ＥＰＤＭ）などの合成ゴム材を原料として形成される。スペーサ１０は、このようなゴム原料にカーボンブラックや、加硫させる薬品（硫黄など）、その他の薬品などを練り込んだ加硫ゴムを、加熱した金型のキャビティーに加圧注入することで成形することができる。
【００１６】
スペーサ１０には、それぞれ第２面１２および第３面１３と平行に延在し、かつ第２面１２の延在方向に並設された２本の第１通し孔１４、１４が、一対の第１面１１、１１に開口するように形成されている。また、スペーサ１０には、第１面１１および第３面１３と平行に延在する１本の第２通し孔１５が、両第１通し孔１４と連通しないように両第１通し孔１４の間を通って一対の第２面１２、１２の中央に開口するように形成されている。詳細は後述するが、これらの通し孔１４、１５は、電気ケーブル１を結束するために用いる結束バンド２０を挿通するために用いられる。
【００１７】
両第１通し孔１４は、短冊状（ここでは長方形）の断面形状を有し、長辺同士を第２面１２の延在方向に対向させて外側の長辺を第３面１３に対向させるように形成されている。第２通し孔１５は、短冊状（ここでは第１通し孔１４と同寸法の長方形）の断面形状を有し、長辺を第１通し孔１４の長辺や第３面１３に対向させるように形成されている。これらの通し孔１４、１５は、スペーサ１０の成形後の加工によって形成されてもよく、成形時に抜き型を用いて形成されてもよい。
【００１８】
次に、このように構成されたスペーサ１０を用いて結束する電気ケーブル１の結束構造について、図４〜図１４を参照しながら説明する。なお、図４〜図１４では、後述する結束バンド２０の締め付けによってスペーサ１０は変形し得るが、変形量は電気ケーブル１の太さや締め付け力によって変わるため、変形していない状態でスペーサ１０を示している。また、電気ケーブル１は、絶縁物で被覆した電気導体または絶縁物で被覆した上を保護被覆で保護した電気導体であり、公知の構成であるため、図には詳細を示さずに輪郭線のみを示している。
【００１９】
まず、図４を参照して、２本の電気ケーブル１（１ａ、１ｂ）の一結束構造を説明する。図示するように、スペーサ１０は、異なる角度に延在するためにある角度から見たときに互いに交差する２本の電気ケーブル１（以下、第１ケーブル１ａ、第２ケーブル１ｂとする。）があるときに、両電気ケーブル１を互いに離間した状態で結束する際に用いられる。両電気ケーブル１は、ここでは概ね同じ太さである。
【００２０】
スペーサ１０は、第３面１３を両電気ケーブル１に対向させ、かつ第２通し孔１５を第１ケーブル１ａと略平行にして両電気ケーブル１間に配置される。第１ケーブル１ａは、近い側の第１通し孔１４に挿通して緊結した結束バンド２０によってスペーサ１０の一方の第３面１３に保持される。一方、第２ケーブル１ｂは、第２通し孔１５に挿通して緊結した結束バンド２０によってスペーサ１０の他方の第３面１３に保持される。このようにして両電気ケーブル１は、スペーサ１０および２本の結束バンド２０によって、互いに離間した状態を保つように結束される。
【００２１】
結束バンド２０は、ひも状すなわち断面が円形のものであってもよいが、帯状すなわち断面が扁平形状のものを用いるとよい。帯状の結束バンド２０を用いることにより、結束バンド２０と電気ケーブル１との接触面積が大きくなるため、結束バンド２０の食い込みによって電気ケーブル１外周部が損傷することを防止できる。
【００２２】
結束バンド２０としては、バンド本体２１の端部に締め付けおよび緊結が容易な緊結部材２２を一体に有するものを用いるとよい。緊結部材２２としては、バンド本体２１に係合して締め付け保持可能なものであれば如何なる形式のものを用いてもよいが、公知のバックル式やスライドファスナー式、楔式などとすることができる。本実施形態では、米国特許第５１９３２５１号に開示されているものを使用している。緊結部材２２の構造は公知であるため、ここでは詳細な説明は省略する。
【００２３】
結束バンド２０は、バンド本体２１の一端に形成された緊結部材２２にバンド本体２１の他端を挿入して引っ張ることで締め付けを行うことができ、一旦締め付けを行うと、緊結部材２２に内蔵された係止片がバンド本体２１に食い込んで本体バンドが緩まなくなる。
【００２４】
以上のような結束構造によれば、作業員はスペーサ１０を適所に配置し、スペーサ１０の通し孔１４、１５に挿通した結束バンド２０を各電気ケーブル１に巻き回したうえで締め付け、緊結するだけで、電気ケーブル１をそれぞれスペーサ１０の第３面１３に保持し、交差する両電気ケーブル１（１ａ、１ｂ）を互いに離間した状態で容易に結束することができる。そして、従来の結束ロープを用いた場合のように特殊な縛り方を行わないため、作業員の熟練度に左右されずに均質な結束を行うことができる。
【００２５】
次に、図５を参照して、２本の電気ケーブル１に対する他の結束構造を説明する。本結束構造は、交差する２本の電気ケーブル１（１ａ、１ｂ）を、スペーサ１０の第３面１３間の寸法よりも離間させた状態で結束する際に用いられる。本結束構造では、図４の結束構造と同様の向きに配置した２つのスペーサ１０を、第３面１３同士が向き合うように並べ、両スペーサ１０の互いに近接する２本の第１通し孔１４に挿通した結束バンド２０を締め付け、緊結することで連結する。
【００２６】
このようにして２本の電気ケーブル１を結束することにより、両電気ケーブル１間の離間距離を図４の結束構造の２倍にすることができる。なお、離間距離を３倍、４倍・・にしたい場合には、同様にしてスペーサ１０を追加して、３個、４個・・とすればよい。
【００２７】
一方、図４の結束構造に比べて電気ケーブル１間の離間距離が短い場合あるいは短くしたい場合は、図６に示すような結束構造とすることができる。この結束構造では、第１ケーブル１ａがスペーサ１０の第３面１３ではなく第１面１１に沿うようにスペーサ１０を配置し、結束バンド２０を２本の第１通し孔１４に挿通して第１ケーブル１ａに巻き回すことで、第１ケーブル１ａをスペーサ１０の第１面１１に保持させる。すなわち、スペーサ１０の連続する２面（第１面１１および第３面１３）で電気ケーブル１を保持させることにより、スペーサ１０を両電気ケーブル１間に介在させないが、両電気ケーブル１間に介装した状態とする。
【００２８】
このような結束構造とすることにより、両電気ケーブル１の離間距離を、両電気ケーブル１間に介装されたスペーサ１０の第３面１３からその近傍の第１通し孔１４までの距離に対応した値に設定することができる。
【００２９】
図７〜図１０は、それぞれ３本並んでいる電気ケーブル１（１ａ、１ｂ、１ｃ）を結束する際の結束構造である。まず、図７に示すように、２本の電気ケーブル１（１ａ、１ｃ）が平行に並び、その外側に１本の電気ケーブル１（１ｂ）が交差するように配置されている場合、真ん中に配置された第１ケーブル１ａとこれに交差する第２ケーブル１ｂとは、その間に配置したスペーサ１０（第１スペーサ１０ａとする。）を介して、図４に示した態様で結束することができる。なお、図５や図６の態様とすることもできる。
【００３０】
一方、平行に並ぶ２本の電気ケーブル１（第１ケーブル１ａ、第３ケーブル１ｃ）は、その間にさらにスペーサ１０（第２スペーサ１０ｂとする。）を配置し、第１ケーブル１ａを第１スペーサ１０ａに締め付ける結束バンド２０を利用して結束することができる。
【００３１】
具体的には、第２スペーサ１０ｂを、第１面１１が第１ケーブル１ａおよび第３ケーブル１ｃに対向し、かつ第２通し孔１５が第１ケーブル１ａおよび第３ケーブル１ｃと平行になるように配置する。そして、第１ケーブル１ａを第１スペーサ１０ａに締め付けるための結束バンド２０を、第２スペーサ１０ｂの両第１通し孔１４に挿通して第３ケーブル１ｃを巻き回した状態で締め付け、緊結する。
【００３２】
このように、実施形態に係るスペーサ１０は、交差する両電気ケーブル１（１ａ、１ｂ）の結束に利用できるだけでなく、平行に並んだ電気ケーブル１（１ｂ、１ｃ）の結束においても間隔保持部材および結束バンド保持部材として利用することができる。
【００３３】
図８は、図７同様、２本の電気ケーブル１（１ａ、１ｃ）が平行に並び、その外側に１本の電気ケーブル１（１ｂ）が交差するように配置されている場合のうち、真ん中に配置された第１ケーブル１ａやこれと平行な第３ケーブル１ｃが比較的太い場合に好適な結束構造である。
【００３４】
本結束構造では、第２スペーサ１０ｂを、第３面１３が第１ケーブル１ａおよび第３ケーブル１ｃに対向し、かつ第２通し孔１５が第１ケーブル１ａおよび第３ケーブル１ｃと平行になるように配置する。そして、第１ケーブル１ａを第１スペーサ１０ａに締め付ける結束バンド２０は、第２スペーサ１０ｂの第１ケーブル１ａ側の第１通し孔１４に挿通した状態で締め付け、緊結する。一方、第２スペーサ１０ｂの第３ケーブル１ｃ側の第１通し孔１４にも結束バンド２０を挿通し、結束バンド２０を第３ケーブル１ｃに巻き回して締め付け、緊結する。
【００３５】
このような結束構造とすることにより、第１ケーブル１ａと第３ケーブル１ｃとの少なくとも一方がスペーサ１０の大きさに対して相対的に太くても、両電気ケーブル１（１ａ、１ｃ）をスペーサ１０の第３面１３で保持した（外面に接触させた）状態で結束することができる。
【００３６】
図９および図１０は、３本の電気ケーブル１のうち、両端の２本（１ｂ、１ｃ）が平行に並び、真ん中の１本（１ａ）がこれらと交差する配置となっている場合の結束構造である。まず、図９に示す結束構造では、２つのスペーサ１０をそれぞれ、第３面１３が電気ケーブル１（１ａと１ｂ、１ａと１ｃ）に対向し、かつ第１通し孔１４が真ん中の第１ケーブル１ａと平行になるように配置する。そして、両スペーサ１０の第２通し孔１５に挿通した結束バンド２０を締め付け、緊結することで、両スペーサ１０で挟むようにして第１ケーブル１ａに両スペーサ１０を取り付ける。第２ケーブル１ｂおよび第３ケーブル１ｃに対しては、対応するスペーサ１０の近い側の第１通し孔１４にそれぞれ挿通した結束バンド２０を巻き回して締め付け、緊結することによりスペーサ１０に固定する。この結束構造は、第１ケーブル１ａが第２ケーブル１ｂや第３ケーブル１ｃよりも細い場合に特に好適である。
【００３７】
一方、図１０に示す結束構造は、第１ケーブル１ａが第２ケーブル１ｂや第３ケーブル１ｃよりも太い場合に特に好適である。この結束構造では、両スペーサ１０を、第２通し孔１５が真ん中の第１ケーブル１ａと平行になるように配置する。両スペーサ１０を第１ケーブル１ａに取り付ける結束バンド２０は、両スペーサ１０における近い側の第１通し孔１４に挿通する。第２ケーブル１ｂおよび第３ケーブル１ｃをそれぞれ対応するスペーサ１０に固定する結束バンド２０は、第２通し孔１５に挿通して締め付け、緊結する。
【００３８】
次に、図１１を参照して、交差する４本の電気ケーブル１に対する結束構造の一例について説明する。図示例では、互いに平行に離間して並ぶ２本の電気ケーブル１（第１ケーブル１ａ、１ａとする。）を挟むように、これらに交差する２本の電気ケーブル１（第２ケーブル１ｂ、１ｂとする。）が互いに平行に並んでいる。このような場合は、スペーサ１０を４本の電気ケーブル１の間に配置して結束することができる。
【００３９】
本結束構造では、スペーサ１０を、第１面１１が第１ケーブル１ａに対向し、かつ第２通し孔１５が第１ケーブル１ａと平行となるように配置する。この状態では、第２通し孔１５の断面における長辺が外側の第２ケーブル１ｂと平行に延在した状態となる。２本の第１ケーブル１ａは、２本の第１通し孔１４に挿通した１本の結束バンド２０を締め付け、緊結することによってスペーサ１０に対して固定することができる。第２ケーブル１ｂは、それぞれスペーサ１０の第２通し孔１５に挿通した結束バンド２０を締め付け、緊結することによってスペーサ１０に対して固定することができる。
【００４０】
この際、第２通し孔１５には、２本の結束バンド２０を挿通することになる。本結束構造では、バンド本体２１の厚さが比較的薄い緊結部材２２を用い、２本のバンド本体２１を重ねた状態で第２通し孔１５に挿通している。あるいは、バンド本体２１の幅が比較的狭い結束バンド２０を用い、２本のバンド本体２１を左右にずらした状態で第２通し孔１５に挿通してもよい。
【００４１】
図１２は、互いに平行の電気ケーブル１が、互いに直交する２方向に複数本ずつ並んでいる場合の結束構造である。なお、図示例では、両方向に４本ずつ電気ケーブル１が並んでいるが、各方向に並ぶ電気ケーブル１の本数は４本に限られず、３本や２本、あるいは５本以上であっても同様の構造での結束が可能である。
【００４２】
本結束構造では、図中の縦方向の第１ケーブル１ａに対しては、隣接する２つの第１ケーブル１ａ間に、第１面１１が第１ケーブル１ａに対向しかつ第２通し孔１５が第１ケーブル１ａと平行になるように３つの第１スペーサ１０ａを配置し、各第１スペーサ１０ａの両第１通し孔１４に挿通した１本の結束バンド２０で４本すべての第１ケーブル１ａを直列に結束している。一方、図中の横方向の第２ケーブル１ｂに対しては、右側２つおよび左側２つの第２ケーブル１ｂ間に、第１面１１が第２ケーブル１ｂに対向しかつ第２通し孔１５が第２ケーブル１ｂと平行になるように２つの第２スペーサ１０ｂを配置し、中央の第１スペーサ１０ａの第１通し孔１４に挿通した２本の結束バンド２０により、２本の第２ケーブル１ｂをその間に第２スペーサ１０ｂを介在させた状態で中央の第１スペーサ１０ａに対してそれぞれ固定している。
【００４３】
図１３の結束構造は、図１２の変形例であり、左側に配置された２本の電気ケーブル１（１ｃ）が他の電気ケーブル１（１ａ、１ｂ）と直交する方向に延在している点が図１２に示した結束構造と異なる。本結束構造では、紙面に直交する方向に延在して縦方向の配列された第１ケーブル１ａ同士の結束、並びに、紙面に直交する方向に延在し、第１ケーブル１ａに対して横方向に配列された第２ケーブル１ｂ同士および第２ケーブル１ｂの第１ケーブル１ａに対する結束は、図１２と同様なので説明を省略する。
【００４４】
一方、本結束構造では、左側の２本の第３ケーブル１ｃの間に、第３スペーサ１０ｃを図７の第２スペーサ１０ｂと同様の態様、すなわち第１面１１が第３ケーブル１ｃに対向し、かつ第２通し孔１５が第３ケーブル１ｃと平行になるように配置し、第３スペーサ１０ｃの両第１通し孔１４に挿通した結束バンド２０で両第３ケーブル１ｃを互いに結束する。また、この結束バンド２０を、隣接する第１ケーブル１ａの間に配置された３つの第１スペーサ１０ａのうちの１つ（図示例では真ん中の第１スペーサ１０ａ）の第２通し孔１５に挿通することで、互いに結束されている第１ケーブル１ａおよび第２ケーブル１ｂに結束する。
【００４５】
なお、更なる変形例として、第２ケーブル１ｂと第３ケーブル１ｃとの位置を入れ替えた形態（この形態は、図１３を逆方向から見たものであり実際は図１３と同一）や、第２ケーブル１ｂも第３ケーブル１ｃと同様に第１ケーブル１ａと直交する方向に延在し、第２ケーブル１ｂが第３ケーブル１ｃと同様の態様で、第１ケーブル１ａ間に配置された第１スペーサ１０ａに結束される形態、第１ケーブル１ａ、第２ケーブル１ｂおよび第３ケーブル１ｃの少なくとも１つの本数が異なる形態などとすることもできる。
【００４６】
図１４は、電気ケーブル１を、電気ケーブル１同士で結束するのではなく、対象物３に固定する際の結束構造である。対象物３は、ラックやブラケットなどのケーブル支持部材であり、電車に設けられるものに限られない。ここでは、対象物３は、鋼製のブラケットの図示しない基部から概ね水平に延出した板状片として構成されている。図示例では、対象物３の下方に対象物３の延出方向と平行に第１ケーブル１ａが延在し、対象物３の上方に対象物３の延出方向と直交する方向に第２ケーブル１ｂが延在している。
【００４７】
本結束構造では、対象物３と第１ケーブル１ａとの間および対象物３と第２ケーブル１ｂとの間に２つのスペーサ１０を、それぞれ第３面１３が対象物３および電気ケーブル１に対向しかつ第２通し孔１５が対象物３の延出方向と平行となるように配置する。そして、両スペーサ１０の対象物３側の第１通し孔１４に挿通した結束バンド２０を締め付け、緊結することで、両スペーサ１０を対象物３に固定する。一方、第１ケーブル１ａは、下側のスペーサ１０における下側の第１通し孔１４に挿通した結束バンド２０によって下側のスペーサ１０の第３面に保持させ、第２ケーブル１ｂは、上側のスペーサ１０の第２通し孔１５に挿通した結束バンド２０によって上側のスペーサ１０の第３面１３に保持させる。
【００４８】
このように、電気ケーブル１と対象物３との間にスペーサ１０を介在させることにより、スペーサ１０は、電気ケーブル１が対象物３との干渉によって破損することを防ぐ緩衝材あるいは保護部材として機能するとともに、電気ケーブル１の対象物３との離間距離を調整する補助部材として機能する。そして、スペーサ１０に第２通し孔１５が形成されていることにより、対象物３と平行に延在する第１ケーブル１ａのみならず、対象物３の延在方向と交差する方向に延在する第２ケーブル１ｂを対象物３に固定する際にも、結束バンド２０を挿通させて電気ケーブル１と対象物３とを互いに離間した状態で結束することができる。
【００４９】
以上説明したように、本発明に係るスペーサ１０は、電気ケーブル１の太さおよび間隔に応じて配置する方向や使用する数、結束バンド２０の通し方を変更することにより、様々な態様に配置された電気ケーブル１を、電気ケーブル１同士で結束または対象物３に対して固定することができる。なお、電気ケーブル１とスペーサ１０との間には他の部材は介在させないようにするとよい。スペーサ１０および結束バンド２０のみが電気ケーブル１に接触するように電気ケーブル１同士を結束する或いは電気ケーブル１を対象物３に対して固定することにより、電気ケーブル１の損傷を防止できる。
【００５０】
以上で具体的実施形態の説明を終えるが、本発明は上記実施形態に限定されることなく幅広く変形実施することができる。例えば、上記実施形態では、スペーサ１０の輪郭を、第２面１２が正方形をなす直方体としたが、立方体や全ての面が長方形の直方体としたり、面取りを施したりしてもよい。また、上記実施形態では、第１通し孔１４および第２通し孔１５ともに同一寸法の長方形断面とし、断面視でそれぞれの長辺が互いに平行をなすようにしたが、通し孔１４、１５の断面形状や向きは適宜変更してもよい。さらに、上記実施形態の結束構造を組み合わせることも可能である。この他、各部材や部位の具体的構成や配置、数量、角度など、本発明の趣旨を逸脱しない範囲であれば適宜変更可能である。一方、上記実施形態に示した各構成要素は必ずしも全てが必須ではなく、適宜選択することができる。
【符号の説明】
【００５１】
１      電気ケーブル
３      対象物
１０    スペーサ
１１    第１面
１２    第２面
１３    第３面
１４    第１通し孔
１５    第２通し孔
２０    結束バンド（結束部材）
【図１】
0006026453.tif 000002
【図２】
0006026453.tif 000003
【図３】
0006026453.tif 000004
【図４】
0006026453.tif 000005
【図５】
0006026453.tif 000006
【図６】
0006026453.tif 000007
【図７】
0006026453.tif 000008
【図８】
0006026453.tif 000009
【図９】
0006026453.tif 000010
【図１０】
0006026453.tif 000011
【図１１】
0006026453.tif 000012
【図１２】
0006026453.tif 000013
【図１３】
0006026453.tif 000014
【図１４】
0006026453.tif 000015